(57)【要約】  単層の又は多層の材料シートから形成されるタイプのパッケージを製造する方法であって、前記パッケージは開封しやすい特徴を有しており、シートは、包装されるべき物体に接触することに適した内面と、外面と、を有する完成品のパッケージとして形作られ、前記方法は、シートの２つの側縁を縦方向に結合することによって、フィルムを筒に形成する工程を備えており、該工程では、結合部が筒の外側にサイドフラップ（１０）を作り出すか、又は、突き出しフィンを有するフォーマーを筒が通過させられ、その結果、筒の外側にサイドフラップが形成され、交差シール（３、４）が筒を横切って設けられて、その結果、２つの交差シールの間に各パッケージの範囲が定められ、２つの隣接するパッケージを引き離す／切り離すために、前記交差シールに切り取り線（２５）が形成されており、１つの材料シートの層のミシン目（７）が、サイドフラップに平行にサイドフラップに隣接して、切り取り線から交差シールに向かって又は交差シール内に延びている。
2011512301.tif 000002
【特許請求の範囲】
【請求項１】
単層の又は多層の材料シートから形成されるタイプのパッケージを製造する方法であって、前記パッケージは開封しやすい特徴を有しており、前記材料シートは、包装されるべき物体に接触することに適した内面と、外面と、を有する完成品のパッケージとして形作られ、該方法は、
前記シートの２つの側縁を縦方向に結合することによって、前記材料シートを筒として形成する工程を備え、
結合部が前記筒の外側にサイドフラップを作り出すか又は突き出しフィンを有するフォーマー上を前記筒が通り過ぎて、その結果、前記筒の外側にサイドフラップが形成され、又は、前記筒の外側に縦方向にフィンが取り付けられ、
交差シールが前記筒を横切って設けられて、その結果、２つの交差シールの間に各パッケージの範囲が定められ、
２つの隣接する前記パッケージを引き離す／切り離すために、前記交差シールに切り取り線が形成され、
前記サイドフラップ又は前記フィンに隣接して、前記切り取り線から、前記サイドフラップ又は前記フィンに平行に若しくは前記サイドフラップ又は前記フィンに対して６０°までの角度をなして延びて、前記交差シールに向かって又は前記交差シール内に延びる、１つの材料シートの層のミシン目又は前記シートを形成する１つ以上の層のミシン目が形成される、単層の又は多層の材料シートから形成されるタイプのパッケージを製造する方法。
【請求項２】
前記１つのシート材料の層の前記ミシン目は、
前記交差シールと２つの隣接する前記パッケージを切り離す前記切り取り線との間に突き出る前記１つのシート材料の非シール部分内、又は、
前記非シール部分内及び前記交差シールの一部内、又は、
２つの隣接する前記パッケージの間の前記切り取り線に前記交差シールがすぐに隣接する場合、前記交差シール内にのみ、のいずれかに形成される請求項１に記載の方法。
【請求項３】
前記１つのシート材料の層の前記ミシン目は、以下の、
製造速度に関連して制御されるカッター又は回転するカッターヘッドであって、前記カッターヘッドは、間隔を空けて配置されてランドと協働する複数の刃先を有しており、カッター及びランドの間を材料が通過するように前記ランドが配置されて、それによって、前記カッターの作動が材料にミシン目を形成し、前記材料は切断時に前記ランドに接触する、カッター又は回転するカッターヘッドと、
レーザ装置であって、前記ミシン目の位置決めが、所望の前記パッケージのサイズに応じて前記シート材料に設けられるマーカーに対して配置されて、前記マーカーを検出して、この情報をミシン目入れ工具を作動させるための入力として用いるための手段が設けられるレーザ装置と、の１つ以上から選択されるミシン目入れ工具によって形成される請求項１に記載の方法。
【請求項４】
前記シートを重ね合わせて、重ね合わせられた前記シートの縁同士を結合することによって、２つの分離した材料シートが筒に形成されて、その結果、縦方向の縁に沿ってサイドシールを有する筒が形成される請求項１に記載の方法。
【請求項５】
前記１つのシート材料の層のほぼ平行な複数のミシン目又は前記シート材料を形成する１つ以上の材料層のほぼ平行な複数のミシン目が、前記切り取り線に隣接して前記サイドフラップに平行な又は前記サイドフラップに対して６０°までの角度をなして形成される請求項１又は２に記載の方法。
【請求項６】
前記交差シールは、各前記パッケージの一端にのみ設けられており、その結果、複数の前記パッケージが、前記切り取り線に沿って別個の前記パッケージに切り離された時に各前記パッケージは前記一端で開いている請求項１又は２に記載の方法。
【請求項７】
前記フラップが、シート材料と別個の部分であって前記筒の外側に取り付けられる部分であり、前記フラップは、前記フラップと前記筒との間の結合部が、前記ミシン目で引き裂き始める時に必要とされる引き裂き強さよりも強い手段によって留め付けられる請求項１〜６のいずれか１項に記載の方法。
【請求項８】
パッケージを形成する垂直型又は水平型の成形充填シール装置であって、該装置は、当該装置を通じて連続シート材料を運ぶ手段を備えており、該装置は、前記パッケージに少なくとも１つのサイドフラップを作り出す手段を備えており、及び、該装置は、前記サイドフラップに対してほぼ横方向に延びるシールされた交差地帯を形成する手段と、切り離し線を形成する手段と、を備えており、前記切り離し線は前記交差地帯内に形成されて、シールされた前記交差地帯は、シート材料の少なくとも２層の厚さを有しており、前記装置はミシン目入れ工具を備えており、前記ミシン目入れ工具は少なくとも２つのシート材料の層の一方に、前記サイドフラップに隣接してほぼ平行なミシン目又は前記サイドフラップに対して６０°までの角度をなすミシン目を形成し、前記ミシン目は、前記シールされた交差地帯内に延びて、前記ミシン目は前記切り離し線まで少なくとも延びる、パッケージを形成する垂直型又は水平型の成形充填シール装置。
【請求項９】
前記切り離し線を検出及び／又は決定する手段が設けられており、前記手段は前記ミシン目入れ工具に入力を供給し、その結果、前記ミシン目入れ工具の作動が、前記切り離し線の位置に応じて実行される請求項８に記載の成形充填シール装置。
【請求項１０】
前記ミシン目入れ工具は、前記切り取り線の両側に、ある距離で１つのシート材料の層にミシン目を形成するように作動される請求項８に記載の成形充填シール装置。
【請求項１１】
前記シールの幅は、３ｍｍ〜５０ｍｍであり、より好適には５ｍｍ〜２０ｍｍであり、及び、最も好適には７ｍｍ〜１２ｍｍである請求項８に記載の成形充填シール装置。
【請求項１２】
当該装置は、前記シート材料を筒に形成する筒形成手段を備えており、及び、前記筒形成手段の表面から半径方向に延びるフィンが、２つの加熱可能なローラの上流側で前記ローラに隣接して設けられており、その結果、前記筒がフィンを通過する際に縦方向のフラップが前記筒に形成され、及び、前記ローラが互いに前記フラップを挟み込んで任意選択的に前記筒の材料をともに溶着する請求項８に記載の成形充填シール装置。
【請求項１３】
前記ミシン目入れ工具は、切断ブレード、レーザカッター、パンチャー、又は、熱カッター、又は、それらの手段の任意の組み合わせであり、及び、任意選択的に、前記ミシン目入れ工具に対向して裏板が前記ミシン目入れ工具のためのランドとして配置され、前記裏板及び前記ミシン目入れ工具の配置は、前記ミシン目入れ工具及び前記裏板の間を包装材料が通過することを許容する請求項８に記載の成形充填シール装置。
【請求項１４】
請求項８〜１３のいずれか１項に記載の水平型又は垂直型の成形充填シール装置で製造されるタイプのパッケージであって、前記パッケージは、シート材料から形成されており、当該パッケージの長さに沿ってサイドフラップを有しており、及び、当該パッケージの両端で前記サイドフラップに対して横方向に配置される交差シールを備えており、前記シールは、２つのシート材料の層を少なくとも含んでおり、１つの交差シール部分で前記サイドフラップにほぼ平行な少なくとも１つのミシン目又は前記サイドフラップに対して６０°までの角度をなす少なくとも１つのミシン目が設けられており、前記ミシン目は１つの材料の層に入れられており、及び、前記ミシン目は前記サイドフラップに隣接して設けられており、及び、前記ミシン目は前記パッケージの自由縁まで延びるパッケージ。
【請求項１５】
相互に間隔をあけて配置されて、任意選択的に前記フラップの両側に、ほぼ平行な複数のミシン目が設けられる請求項１４に記載のパッケージ。
【発明の詳細な説明】
【技術分野】
【０００１】
本発明は、成形充填シール装置（form, fill and seal machine、ＦＦＳ装置）と同じように単層の又は多層の材料シートから形成されるタイプのパッケージを製造する方法に関し、及びさらに、本発明に係るそうしたＦＦＳ装置で製造されるパッケージに関する。
【背景技術】
【０００２】
本技術分野では、ＦＦＳ装置は、広く様々な商品、特に食料品、キャンディ及びその他の多数の対象物の包装に関連して広く使用されている。基本的に、ＦＦＳ装置は、材料シートを供給されることによって作動し、前記材料シートは、当該シートが前記装置に供給された際に前記装置のフォーマーが連続的にシートの２つの側縁を相互に接着することによって筒に形作られる。筒が筒の縦方向に対して横方向に範囲を定められるように、本願の範囲内で交差シールと呼ばれる端部シールを作り出す手段が前記装置のさらに下流側に設けられており、そうして範囲を定められた筒に包装されるべき対象物が充填された後に、再び筒の縦方向に対して横方向に端部シールが設けられる。このようにして、非常に安価で目的に適ってかつ信頼度の高いパッケージが最小費用で作り出される。材料シートは、通常は高分子基材であって、パッケージ内の対象物に関する情報がユーザに伝達されるように印刷を備えてよい。
【０００３】
これらのタイプのパッケージは、本技術分野で広く知られており、たいていの消費者によって毎日利用されている。製造過程で使用される様々な実施形態及び装置の例は、国際公開第０３／０４５８１６号パンフレット、米国特許出願公開第２００７／２６９１４６号明細書、欧州特許出願公開第１７６９０８号明細書、欧州特許出願公開第１７４６０４３号明細書、欧州特許出願公開第１０２６０７７号明細書、国際公開第２００７／１０６９１６号パンフレット、特開平１０−３０５８０６号公報、国際公開第２００４／００２８３５号パンフレット及びその他の多数の文献に開示されている。
【０００４】
このタイプの広く知られた包装に生じる１つの問題は、消費者又はユーザがパッケージを開封しなければならない状況である。通常、材料シートの２つの側縁の間の縦方向の結合部が互いに溶着されて、それによってサイドフラップが作り出され、及び、サイドフラップが端部シールに一致している場合には、内部へのアクセスを得るためにパッケージを開封しようと消費者が試みることは当然な点である。シールは、端部シール及びサイドフラップの両方で比較的に強い結合部が作り出されるように、高分子材料を互いに溶着することによって通常は作り出されており、前記比較的に強い結合部は、ユーザがパッケージを開封しようと試みる時に開封中にパッケージを破って内容物をまき散らすほどのかなりの力を必要とする。
【０００５】
これに関連して、所望の開封する力が必要とされるように溶着部を設計する試みがなされてきた。こうしたことが今度は、互いに溶着されるべき表面が、溶着／融合を可能にする所定の特性を有することを必要とする。例えばキャンディなどの品目の包み時／包装時に使用する箔は通常は複数の層を有する。典型的には、絵、文字などが印刷された層は薄い保護層によって覆われているであろう。箔全体は種々の層の厚さの総計であるように、層の厚さは典型的には５μｍ〜６０μｍの範囲である。一方向の引裂性を示す層及び／又はバリヤ層などのような他の層が追加されてよい。これらの層はすべて、異なる特性を示しており、及び、箔の溶着／融合の際にも、ともに所望の特性を箔に提供する。これらのタイプの多層箔がＦＦＳ装置（水平型及び垂直型の両方）で使用される時、内面に結合されなければならないのはたいてい外面である。米国特許第５８２６９８５号明細書にはこれらの態様が開示されている。従って、所望の品質（バリヤ、印刷など）を有することに加えて、箔は相互に溶着可能／融合可能であるべきである。
【０００６】
これを避けるために種々の解決策が提案されてきた。１つのそうした解決策は、引き裂きの起点が作り出されてそれによって例えばパッケージの角が比較的に簡単に引きちぎられ得るように、縦方向の端部シール内にあって端部内で数ｍｍに限られる小さな切れ目を設けることである。特開平１０−２５０７６４号公報、特開２００３−１９１９６５号公報、国際公開第９２／１６４３１号パンフレット及び特開２００４−１８２２６７号公報で様々な例を参照されたい。これらの例のいくつかでは、引き裂き動作は、開封することが意図された箇所に沿って箔層を通じて部分的に走る切れ目の形状の引き裂き線をさらに設けることによって助けられるか、又は、テープが引っ張られる際にテープが箔を引き裂くことになるようにテープを設けることによって助けられる。このことが今度は、たいていの場合に比較的に限られた開封口を作り出し、ある場合には、角が引きちぎられる方法及びパッケージが製造される材料に依存して、すでに上述されたのと同様にパッケージを破壊し得る状況を作り出す。例えば米国特許第５８２６９８５号明細書を参照されたい。
【０００７】
これらの２つのタイプの開封の共通点は、パッケージがひとたび引き裂かれると、すべての内容物が使用されなければ、パッケージを再シールすることが不可能であるといった事実である。
【０００８】
これらの目的のために、例えば再シール可能なジッパーを端部シールに隣接して材料に組み込むことによって多くの解決策が提案されてきた。しかしながら、こうしたことは、比較的に費用のかかる加工処理であって、内容物の一部が取り出された後でさえパッケージのサイズが相対的に一定のままであることも必要とする。
【発明の概要】
【０００９】
本発明の目的は、上述の課題を多少とも解決する方法及び装置及びパッケージを提供することであって、特に、ユーザがその過程でパッケージ全体を破壊する危険を冒すほどの大きな力を用いずに、パッケージが開封され得る箇所で上述のタイプのパッケージに開封口を提供する安価で高い信頼性の態様に関してさらなる利点を提供する方法及び装置並びにパッケージを提供することである。
【００１０】
本発明は、単層の又は多層の材料シートから形成されるパッケージを製造する方法を提供することによってこのことに取り組んでおり、パッケージは、開封しやすい特徴を有しており、シートは、包装されるべき物体に接触することに適した内面と、外面と、を有する完成品のパッケージとして形作られ、該方法は、
シートの２つの側縁を縦方向に結合することによってシートから筒を形成する工程を備え、
結合部が筒の外側にサイドフラップを作り出すか又は突き出しフィンを有するフォーマー上を筒が通り過ぎて、その結果、サイドフラップが筒の外側に形成され、
筒を横切って交差シールが設けられて、その結果、２つの交差シールの間に各パッケージの範囲を定められ、
２つの隣接したパッケージを引き離す／切り離すために、前記交差シール内又は前記交差シール同士の間に切り取り線が形成され、
サイドフラップ又はフィンに平行に若しくはサイドフラップ又はフィンに対して６０°までの角度をなして切り取り線から延びて、交差シールに向かって又は交差シール内に延びる、１つのシートのミシン目又はシートを形成する１つ以上の層のミシン目が形成される。
【００１１】
初めに、パッケージの形成過程の間にこのタイプのパッケージに製品を導入する装置の型式に依存して本技術分野で広く知られるように、パッケージの充填段階が除外されてきたことに注目すべきである。本発明は、パッケージに充填するために使用される装置のタイプと無関係であって、完成品のパッケージの開封に新規な特徴を提供することにのみ関する。
【００１２】
このことは、特に最終工程、すなわち、サイドフラップに隣接する１つの材料層のミシン目によって達成される。ユーザが片手でパッケージを持つとともにもう片方の手でサイドフラップの縁を引っ張る際に、材料を引き裂いて非常に簡単に開封するようにしてそれによって前記パッケージを破壊することなくパッケージの内部へのアクセスを得るように材料の引き裂きの起点となる易引裂箇所をミシン目が提供するように、ミシン目は、切り取り線の縁から交差シールに向かって又は交差シール内において小さな距離でサイドフラップに平行に延びている。反復テストは、非常に簡単な開封が提供されること、及び、開封口がうまく形成されていてパッケージの所望の部分に限定されていることを明確に示していた。
【００１３】
１つの材料層のみのミシン目は、材料層を貫通するミシン目を有する点、パッケージの両側のパッケージ材料が同時に引き裂かれてそれによってパッケージ全体を破壊する点で、切れ目が交差シールのすべての材料層を貫通するという点において提案された解決策と明らかに異なっている。１つの材料層のみを貫通するようにミシン目を制限することによって、ユーザによるサイドフラップへの引き裂き動作は、パッケージを全体的に破壊することなくパッケージに比較的にきれいな引き裂き開封口を作り出すであろう。
【００１４】
本技術分野では、このタイプのパッケージが製造される態様の間で区別がなされる。パッケージが垂直姿勢で形作られる場合に内容物がパッケージ内に挿入されれば、それは垂直型の成形充填シール装置として知られている。結果として、内容物が水平方向に差し込まれる時にはそれは水平型の成形充填シール装置として知られている。本発明の目的のために、両タイプの装置が用いられることが同等の好結果を有している。
【００１５】
さらに、シート材料をパッケージに形成する間に作り出されるシールがなされる態様において、２つの主要なタイプすなわちラップシール及びフィンシールの間で区別がなされる。ラップシールは、一方のシートを他方のシートに単純にかぶせて、２つのシートを溶着、接着又はそうでなければ結合することによって作り出される。このようにして、シートの２つの異なる面が結合されることになり、すなわち、パッケージの内面になるべきものと、パッケージの外面になるであろうものと、が結合される。フィンシールを用いる時、シートの両面すなわち内面同士が結合され、それによってフラップ又はフィンが作り出される。
【００１６】
本発明の範囲内では、フィン又はフラップが提供される限り、シールの様態は本発明に何ら影響を及ぼさない。これらの理由のため、ラップシールが用いられる状況、又は、パッケージを開封することが望まれない位置にフィンシールがフィン／フラップを作り出す状況で手段が提供されることが予測される。フラップは、フォーマー工具によって作り出されてよく、又は、筒の外側に接着又は溶着されるシート材料の分離した部分として提供されてよい。
【００１７】
これに関連して、明確な表現「単層の又は多層の材料シート」が何を意味するかを十分に理解することも重要である。本技術分野では、例えば米国特許第５８２６９８５号明細書を参照すると、明示された目的のために特定の特徴を有するために完成品のシートが作り出されるように、各層が固有の特性を有する多数の異なる層から形成されるシートを使用することが一般的である。層の例は、一方向にのみ裂き開けられ得る言及された層、例えば蒸気の漏れない層にするために金属といった特別な被覆を有する層、紫外線（ＵＶ）保護層、バリヤなどの層であり得る。本発明に関して、シートの構成は重要ではないものの、本発明のいくつかの実施形態では、所望の効果を達成するために、シート材料を形成する材料層のいくつかをミシン目が貫通することで十分であり得る。
【００１８】
特に、材料層を包含するポリエチレン（ＰＥ）、無延伸ポリプロピレン（ＣＰＰ）又はポリプロピレン（ＰＰ）と組み合わせてレーザが使用される時、いくつかの層にミシン目を入れることのみが必要であることを十分に理解することが重要である。このことは、それらの材料をレーザ切断するために比較的に高エネルギーのレーザが必要とされる一方で、他のシート材料は実質的に低いレーザエネルギーを必要とする事実による。上述のように、同一の裂き開きの効果が達成されるので、エネルギー消費の理由及びレーザの費用の両方のために、並びに、ＰＥ、ＣＰＰ、ＰＰにミシン目を入れるために十分なエネルギーがＰＥ、ＣＰＰ、ＰＰに伝達されなければならない時に低下する製造速度のために、高強度のレーザを必要としない層のみにミシン目を入れることは好都合である。
【００１９】
ミシン目の方向、すなわち、フラップに平行な角度から６０°の角度以下の間の方向は、シートの構造に応じて、所望の効果を促進するであろう。このことは、フラップを引っ張ることによって引き裂きにさらされる時のミシン目が、溶着されてそれによってシート材料よりも強い構造を構成するフラップに向かって形成される裂け目を案内することになるといった事実に起因する。裂け目がフラップにぶつかると、６０°の角度からであっても、裂け目はフラップ伝いを辿ることになって、それによって所望の創意に富む効果を提供する。
【００２０】
新規で創意に富む方法のさらに有利な実施形態では、１つのシート材料層のミシン目が、
交差シールと２つの隣接するパッケージを切り離す切り取り線との間で突き出る１つのシート材料の非シール部分内に、又は、
非シール部分内及び交差シールの一部内に、又は、
２つの隣接するパッケージの間の切り取り線に交差シールがすぐに隣接する場合に、交差シール内のみに、のいずれかに形成される。
【００２１】
交差シール内に、シートの自由端に、又は、その組み合わせに、ミシン目を位置決めするように制限することによって、パッケージ内の商品が包含される容積は、それでもなお密閉されて、それによって周囲に露出しない。
【００２２】
さらに有利な実施形態では、材料シートは高分子材料シートであり、シール及び結合部は熱融合又は溶着によって作り出される。これは、シート材料から製造されるかなり大部分のパッケージに使用される最も一般的なタイプの材料である。熱融合又は溶着は、当然のことながらシート材料の選択に依存して良好な堅いパッケージが提供されるように、高い信頼性の強いシールを提供するものの、通常は溶着部分は同等のシート材料よりも丈夫であろう。
【００２３】
材料が溶着不可能な又は熱融合不可能な材料であるさらに有利な実施形態で代替のシート材料が取り組まれており、当該実施形態では、材料は、以下の、被覆された又は被覆されていないセルロースを基礎とした材料、高分子フィルム、アルミニウムを基礎としたシートの１つ以上から選択されて、シールを作り出すために結合されるべき材料の表面同士の間に接着剤を塗布することによってシール及び結合部が作り出される。これに関連して、例えば片面、すなわち、包装されるべき製品に接触することが意図される面に紙シート材料を使用することが知られており、前記紙シート材料は、理論上では溶着によってシールが作り出され得るように高分子の被覆を備えているものの、シート材料すなわち紙のすべての性質に起因して、シールを作り出すために接着剤を使用することが必要である。
【００２４】
この加工処理が例えばいわゆる垂直型のＦＦＳ装置で使用される時、シート材料は、パイプ又はフォーマーの周囲で筒に形成され、前記パイプは同時に、包装されるべき物質をパッケージ内に充填するために使用される。ここで、材料シートの縁部分同士は、互いに被せられてシート材料のタイプに応じて溶着され又は接着され、充填パイプはランドとしてすなわち溶接ホイールのための裏支持体として使用され得る。これらの例では、サイドフラップは作り出されず、及び従って、さらに有利な実施形態における本発明は２つのローラを備えており、その結果、サイドフラップが、上述の代替の実施形態のフィンを通過することによって作り出される際に、サイドフラップは、該サイドフラップの両面に配置されて前記サイドフラップに向かって付勢される２つのローラによって発揮される熱、又は、熱及び／若しくは圧力に曝される。このタイプのパッケージの従来型の製造はサイドフィンを必要としないにも拘わらずこのようにしてサイドフラップが作り出されるものの、本発明に係るミシン目を組み込んだ有利な開封手順に起因して、サイドフラップは好ましく、及び従って、充填パイプ上のフィンが横のローラと協働するように設けられる。
【００２５】
ミシン目を作り出すために、ミシン目入れ工具が提供され、ミシン目入れ工具は、以下の、
製造速度に関連して制御されるカッター又は回転するカッターヘッドであって、カッターヘッドは、間隔をあけて配置されてランドと協働する複数の刃先を有しており、ランドは、カッター及びランドの間を材料が通過するように配置されて、それによって、カッターの作動が材料にミシン目を形成し、切断中の材料は前記ランドに接触するカッター又は回転するカッターヘッドと、
レーザ装置と、のうちの１つ以上の中から選択され、
ミシン目の位置決めが、所望のパッケージのサイズに応じてシート材料に設けられるマーカーに対して配置され、前記マーカーを検出して、ミシン目入れ工具を作動させるための入力としてこの情報を用いるための手段が設けられる。
【００２６】
これに関連して、パッケージを破壊せずに簡単かつ高い信頼性でパッケージを引き裂いて開封することが達成され得るように１つのみの材料層が、既に上述されたように切断されること、及び従って、カッターが作動される時にランドが材料の背後でかつカッターが反対側に配置されるようにランドがカッターと協働すること、がきわめて重要である。ランドは、材料内にさらに入っていくことを妨げるであろう。
【００２７】
ミシン目の切り込み又は刻み込みのどちらかのためにレーザ装置を用いることは、広く知られた技術である。本技術分野では、レーザが材料内に所定の非常に小さい距離のみ入り込むようにレーザを操作することが知られている。このことは、材料の内部に被覆を提供することによってさらに質を高められ得るし、その結果、レーザ装置は、異なる材料の特性を検出することになり、それによって、特定の材料層の深さまでレーザの入り込みの深さの範囲を定め、それによって、交差シールでパッケージ材料の１つの層のみに非常に効率的にミシン目を入れることを可能にする。
【００２８】
比較的に高い製造速度で交差シール内にミシン目を位置決めするために、パッケージ材料は、各パッケージ上にあることが意図された例えばバーコード、印刷、印刷マーカーなどのようなしるしを通常備える。これらのマーカーは、光電管を通過するマーカーの認識が、光電管から下流側に配列されてマーカーの検出に応答して作動されるミシン目入れ工具への入力として用いられるように、例えば光電管用の検出点として用いられ得る。このようにして、ある場合にはすでに装置内にある非常にうまく証明された技術が、ミシン目入れ工具への入力として使用されるためにさらに利用されることが可能であり、それによって、切り離し線に対して的確で正しい位置にミシン目を設ける。
【００２９】
本発明に係る創意に富む方法を実行し得るために、本発明は、パッケージを形成する成形充填シール装置も開示しており、前記装置は、当該装置を通じて連続シート材料を運ぶ手段を備えており、前記装置は、パッケージ上に少なくとも１つのサイドフラップを作り出す手段を備えており、前記装置は、サイドフラップに対してほぼ横方向に延びるシールされた交差領域を形成する手段と、切り離し線を形成する手段と、を備えており、前記切り離し線は前記交差領域に形成されており、シールされた交差領域が少なくとも２つの材料層の厚さを有する成形充填シール装置であって、前記装置はミシン目入れ工具を備えており、前記ミシン目入れ工具は、前記サイドフラップに平行に隣接する２つの材料層の一方にミシン目を形成して、ミシン目は前記シールされた交差領域内に延びていること、及び、ミシン目は少なくとも切り離し線まで延びていることを特徴とする。
【００３０】
本発明は、いわゆるインラインの製造方法に向けて説明されることになるものの、本発明はバッチ式の製造にも適している。
【００３１】
インラインは、パッケージ材料が包装装置の一端に供給されること、及び、包装されるべき商品を包含する完成品のパッケージが他端で取り出されること、を意味する。これはもちろん、本発明の理に適ったかつ可能な使用である。しかしながら、本発明は、パッケージ材料が、例えば一端を開封したままの完成品のパッケージにおおよそ形作られるように用いられることにも適している。その後の段階で又はさらに別の位置で、パッケージは、その後に包装されるべき商品で充填されてシールされる。
【００３２】
上述されるような本発明の方法を実行することが可能であるための本発明の特徴は従属した実施形態に詳しく説明されている。
【図面の簡単な説明】
【００３３】
【図１】本発明に係るパッケージの様々な実施形態を示す図である。
【図２】本発明に係るパッケージの様々な実施形態を示す図である。
【図３】本発明に係るパッケージの様々な実施形態を示す図である。
【図４】本発明に係るパッケージの様々な実施形態を示す図である。
【図５】本発明に係るパッケージの様々な実施形態を示す図である。
【図６】サイドフラップフォーマーに隣接するミシン目入れ工具を示す図である。
【図７】製造過程の最終工程を示す図である。
【図８】サイドフラップを作り出すフィン及びローラを示す図である。
【図９】サイドフラップを作り出すフィン及びローラを示す図である。
【図１０】本発明に係る完成品のパッケージのひと続きを示す図である。
【図１１】図７とほぼ同様であり、さらなる実施形態を示す図である。
【図１２】フラップが別個の部材である実施形態を示す図である。
【発明を実施するための形態】
【００３４】
図１〜図５には、ミシン目を備えており、それによって本発明に係る開封しやすい特徴を備えるパッケージの様々な例が図示されている。
【００３５】
図１には、パッケージの全体がその最も基本の構成で符号１によって示される。材料シート２は、パッケージ１の両側の交差シール３、４によって範囲を定められるパッケージ１として形成された。図７及び図１０を参照すると、交差シールの定義及びパッケージの全方向はパッケージの製造の態様に応じて決定される。
【００３６】
図７及び図１０から明らかなように、パッケージは、理論上はエンドレスの材料シート１から形成されており、前記材料シート１は、図示されないフォーマーによってシートから筒状に形作られる。例えばシート材料の２つの縁５、６に隣接するシート材料を互いに溶着することによって筒が作り出され、それによって、筒を作り出すと同時にサイドフラップ１０を作り出す。図１を参照されたい。
【００３７】
サイドフラップ１０が作り出された後、形成された筒及び交差シール３、４によって特定される空間を作り出すために、筒が交差シール３、４でシールされることになる。
【００３８】
パッケージを簡単に開封することができるように、ミシン目又は切り抜き７が設けられる。図１を参照して示される実施形態では、ミシン目７はサイドフラップ１０の両端に設けられるものの、サイドフラップの一端にただ１つのミシン目７が設けられても同じ利点を達成することが可能である。
【００３９】
ミシン目７は、サイドフラップ１０に平行に及びサイドフラップ１０に隣接して設けられており、矢印５０によって示されるパッケージの縦方向に、パッケージ１の内部から周囲への開封口が設けられないように交差シール３の範囲内にミシン目全体が維持されるような長さを有する。
【００４０】
図４には、サイドフラップ１０の角１１がパッケージに対して持ち上げられた状況が示されており、それによって、ミシン目７を起点とする裂け目８が、パッケージの簡単でかつほぼ真っ直ぐな開封口を作り出すことを可能にする。
【００４１】
参照符号１２で示されるように、下側材料層は完全な状態であり、及び、上面材料シート１３だけが裂かれている。
【００４２】
図１を参照して示される実施形態では、これらのタイプのパッケージはいわゆる水平型の成形充填シール（ＦＦＳ）装置で典型的に製造されるのに対して、図２を参照して示されるパッケージ９は、縁５’、６’が相互に部分的に重なり合って結合シール２０を作り出す垂直型のＦＦＳ装置で典型的に製造されることになり、その結果、材料シート２からの筒の形成がサイドフラップ１０を提供しない。この場合には、サイドフラップは、図８及び図９を参照して示されるようにサイドフラップフォーマーを設置することによって提供され得る。
【００４３】
図８を参照すると、フォーマー／充填パイプ１４が示されている。材料シート（図示されず）は、この時点ではフォーマーパイプを囲んでおり、材料シートがこの段階で筒の形状になるように結合シール２０（図２参照）が設けられた。筒は、フォーマー／充填パイプ１４の外側に配置されており、図８の下側に向かって筒が前進すると、筒は、シート材料に折り畳み部が作り出されるようにフィン１５に係合する。材料がさらに前進すると、折り畳み部は、互いに向かって付勢される２つのローラ１６、１７の間で挟み込まれることになる。パッケージを形成するために使用される材料のタイプに応じて、ローラが折り畳み部を互いに挟み込んで、その結果、接着剤の塗布された（ここでは筒に形作られた）材料シートの内側部分を互いに挟み込んで、それによってサイドフラップ１０を作り出すようにローラ１６、１７より手前でフィン１５のちょうど下流側に接着剤ノズルを設けることによって折り畳み部がシールされ得る。代わりに、シート材料が溶着されることに適している場合、ローラを加熱することによって折り畳み部が溶着処理において互いに融合されて、それによってサイドフラップ１０を作り出すように、ローラ１６、１７は溶着ローラであってよい。
【００４４】
従って、図２に戻ってそれを参照すると、サイドフラップ１０及びミシン目７は、図１を参照して説明される実施形態に正確に対応して設けられる。
【００４５】
図３には、別の技術の組み合わせの実施形態が示される。交差シール３、４が、図６を参照してさらに説明されることになる上述の実施形態と同様に製造されており、また、シールされたパッケージ２が作り出されるように縁５’’、６’’を結合するために縦シール１８がさらに設けられている。このように、図３に示される実施形態は、ここまで、図１を参照して示される実施形態に完全に対応する。
【００４６】
しかしながら、ある例では、パッケージを開封するために好ましい位置とは独立して縦シール１８を位置決めすることが可能であることが好ましく、及び従って、図２を参照して説明されるように製造されるサイドフラップ１０は、サイドフラップ１０がミシン目７に隣接して設けられて、それによってこのタイプのパッケージの新規でかつ創意に富む簡単に引き裂いて開封する特徴を提供する別の位置に設けられる。実用的な目的のため、シール１８は、パッケージ材料の表面にさらに留め付けられており、及び、ユーザが縁のシール１８を引っ張ることによってパッケージを間違って開封しようとしないように交差シール３、４に留め付けられている。
【００４７】
さらなる実施形態が図５を参照して示されており、図５では、パッケージは、サイドフラップ１０で引き裂くことによって開封されて、その結果、パッケージの内部へのアクセスを提供する。ミシン目７は、ミシン目の半分がサイドフラップ１０にあってミシン目７のもう半分がパッケージ自体にあるように分割される。このパッケージには、サイドフラップのそのとき底部であるものに配置されて縦方向５０（図１参照）に平行に配置される再シールストリップ２０がさらに設けられた。パッケージの前面１９にサイドフラップ１０を部分的に重ね合わせることによって、及び、表面１９に対して再シール可能シール２０を押し付けることによってパッケージを再シールすることが可能であり、その結果、パッケージ内のパッケージ内容物の残余物を保持することが可能である。
【００４８】
再シール可能シール２０に使用される材料のタイプは、シート材料と、実現が望まれる再シール特性の品質とに依存した状況に応じて選択されることが可能である。シール２０は、パッケージの表面１９に対してサイドフラップ１０を押さえ付けることが可能であるといった要求を満たす限り、いわゆる貼り直し可能な材料から選択されてよく、又は、単に両面接着テープなどであってよい。
【００４９】
これらの実施形態では、従来式の剥がし技術を用いて別な方法で達成可能なものよりも強くて丈夫なパッケージを現在の技術を用いて作り出すことが可能である。剥がし材料の剥がし能力が小さい場合に材料シートに剥がしストリップを設けることによって、ミシン目（簡単な開封手段）は、パッケージを開封することを一層容易にするであろう。このようにして、ミシン目がパッケージの開封を手助けする際に易剥離結合部はより強くされることが可能であり、それによって、剥がしやすさを犠牲にすることなくより強くてより丈夫なパッケージが製造されることが可能である。
【００５０】
図６を参照すると、ミシン目７の製造方法の概略図が示される。図６を参照して示される方法の工程に先立って、筒が作り出されるようにフォーマーの周囲にパッケージ材料２が配置された。筒は、パッケージ材料２によって範囲を定められる内部スペース２１を有する。さらに、パッケージ材料の２つの縁５、６は、２つのローラ２２、２３の間に差し込まれるように配置される。ローラは、既に上述されたように、パッケージ材料２を合わせて溶着させてサイドフラップ１０を形成するように加熱されてよい。代わりに、互いに向かって付勢されるローラが２つの縁部分を互いに押し付けて、それによってサイドフラップ１０を作り出すように、縁５、６の内側に接着材料を提供するノズルが、ローラ２２、２３のすぐ上流側に設けられてよい。パッケージ材料は、矢印で示される方向５１に移動し、及び、方向「上流側」、「下流側」は、パッケージ材料２のこの移動方向に対して規定される。
【００５１】
パッケージ材料２の表面にマーカー（図示されず）が設けられてよく、その結果、検出ユニットがマーカーを検出／記録する際に、この記録がミシン目入れ工具への入力として利用されることになり、前記ミシン目入れ工具のうち、実際にミシン目の切り込みを入れる切断刃２４のみが示されている。これらのマーカーは、２つのパッケージに切り離す切断地帯に正確に印刷を位置決めするために、印刷されたシート材料に通常はある。マーカー記録手段からの入力は、切断刃２４が、矢印５２によって示されるように反復して上下に移動され得るようにミシン目入れ工具を作動させるために使用されて、それによって切断刃は既定の位置にミシン目７を入れる。これら既定の位置は、サイドフラップ１０の下側に示されるようなミシン目が切り離し線２５を横切るようにマーカーに対して決定される。切り離し線は、２つのパッケージ１’、１’’が切り離されるように異なるパッケージが個々のパッケージに切り離され得る剪断線として設けられており、ミシン目７は、サイドフラップ１０に平行にパッケージの縁から延びており、当該縁は、切り離し線２５によって作り出されて交差シール（図示されず）内にある。図６では、切り離し線に対してミシン目の位置を明確化するために交差シールを示さないことが選択された。図６を参照して示された方法によって作り出されたパッケージは、図１〜５を参照して示されて上述された全体的な外観を有することになる。
【００５２】
ミシン目は片側だけ、すなわち、サイドフラップ１０の上側に示されるようなミシン目７’が、切り離し線の片側にのみあって、その結果、出来上がったパッケージの１箇所のみにあってよい。
【００５３】
図６を参照して示される方法の工程からパッケージ材料が前進すると、パッケージ材料２は筒に変えられ、前記筒の表面にはサイドフラップ１０が設けられて、パッケージ１’、１’’に切り離すことが意図された切り離し線２５に隣接して又は横切ってサイドフラップの縦方向に平行にミシン目７が形成される。
【００５４】
筒が前進すると、筒は、図７を参照しつつ説明される方法の工程にかけられる。図６の方法の工程によって筒に形成された材料シートはシール装置３０に向かって前進する。シール装置は、非常に大まかにのみ説明されているものの、本願では交差シール３、４を作り出すことが可能ないかなるタイプの装置が用いられることが可能である。さらに、図７に示される実施形態では、シール手段３０はさらに、本発明に係る新規で創意に富む方法及び装置の作用の結果として、交差シール３、４、サイドフラップ１０及びミシン目７を備える別個のパッケージ１’、１’’が生じるようにパッケージを切り離す手段を備える。シール手段３０の作業は、矢印５３によって示される方向にシール手段３０が作動されて、交差シール３、４とパッケージ１’、１’’の切り離しとがミシン目７及びパッケージのサイズ全体に対して正確な位置に形成されるように、切り離し線２５の存在に応じて実行される。
【００５５】
シール手段３０は、パッケージを切り離す手段を備えなくてもよく、それによって、交差シールによって分離されるパッケージ１’、１’’の連続的な配列が結果となるように、図１０を参照して示されるようなパッケージのひと続きが結果物となる。交差シール３、４の間に示される切り離し線２５は、隣接するパッケージから１つのパッケージをユーザが簡単に引き離せるように、例えばミシン目であってよく、又は、すぐ隣のパッケージから１つのパッケージを簡単に引き離せるように部分的に切断されていてもよい。
【００５６】
図１１には、複数のミシン目６０、６０’、６０’’が示されるさらなる実施形態が示される。示された実施形態では、ほぼ平行な３つのミシン目が示されているものの、パッケージのサイズ、材料に応じて任意の数のミシン目が用いられてよい。ミシン目は上述のミシン目と同一である。ミシン目は、縦方向のフラップ１０にほぼ平行に配列されるように示されているものの、フラップの縦方向に角度をなして配列されてもよい。およそ６０°までの角度が本発明の効果を達成することが判明した。例えば１’’又は１’で示されるようなパッケージが開封される時、フラップ１０は、例えば５６で示される領域のフラップを握って矢印６２で示される方向に引っ張ることによって、パッケージの平面から引き離される。パッケージ１’’、１’が製造される材料は、ミシン目６０、６０’又は６０’’の１つで引き裂きの起点となる裂け目を容易に作る。裂け目は、フラップ１０の溶着部に向かって伝搬することになり、その後、裂け目はフラップ１０とパッケージの前面５４との間の交差部分を辿ることになる。
【００５７】
図１２には、フラップ１０が溶着部２６によってシート材料２上に溶着される実施形態が示されている。フラップ１０はミシン目６０に隣接して配置される。代わりに、フラップは接着剤によって取り付けられることが可能である。フラップ１０及びシート２の間の結合部は、フラップ１０を引っ張ることによって、フラップ１０が引き離されることなくミシン目６０が引き裂きを開始するようなものでなければならない。
【００５８】
加熱することによって材料層を互いに溶着又は融合すること、若しくは、シールを作り出すために接着剤を塗布することのいずれかによってシールが作り出される実施形態において上に本発明が説明された。特に後者、すなわち、接着剤の解決策は、多くの目的のために利用されるものの、特に関連するのは、包装されるべき対象物若しくは材料が加熱されることに適していない用途、又は、接着剤のスプレーが対象物／材料の特性に有害な影響を有し得る危険性があり得る用途である。
【００５９】
１つのそうした例はチョコレートである。これらの用途のために、冷間シール技術が発展してきており、冷間シール技術では、包装装置へのシート材料の準備に先立って、結合されるべき縁に接着剤が塗布される。接着剤の表面は乾いていてくっつかない。しかしながら、冷間シールの接着剤で被覆された領域が、例えば互いに向かって付勢された２つのローラの間に配置されることによって、互いに向き合って配置されて圧力を受けると、接着剤のシールが形成される。圧力の他に熱が加えられてよいものの、溶着処理のものよりもはるかに少ない。
【００６０】
このシール技術は、シールを形成するために本発明内で使用されることもある。
【００６１】
本発明は、特定の実施形態を参照して説明されたとはいえ、保護の範囲は添付の特許請求の範囲によってのみ特定される。
【図１】
2011512301.tif 000003
【図２】
2011512301.tif 000004
【図３】
2011512301.tif 000005
【図４】
2011512301.tif 000006
【図５】
2011512301.tif 000007
【図６】
2011512301.tif 000008
【図７】
2011512301.tif 000009
【図８】
2011512301.tif 000010
【図９】
2011512301.tif 000011
【図１０】
2011512301.tif 000012
【図１１】
2011512301.tif 000013
【図１２】
2011512301.tif 000014
【手続補正書】
【提出日】平成22年10月21日(2010.10.21)
【手続補正１】
【補正対象書類名】明細書
【補正対象項目名】０００３
【補正方法】変更
【補正の内容】
【０００３】
これらのタイプのパッケージは、本技術分野で広く知られており、たいていの消費者によって毎日利用されている。製造過程で使用される様々な実施形態及び装置の例は、国際公開第０３／０４５８１６号パンフレット、米国特許出願公開第２００７／２６９１４６号明細書、欧州特許出願公開第１７６９０８号明細書、欧州特許出願公開第１７４６０４３号明細書、欧州特許出願公開第１０２６０７７号明細書、国際公開第２００７／１０６９１６号パンフレット、特開平１０−３０５８０６号公報、国際公開第２００４／００２８３５号パンフレット及びその他の多数の文献に開示されている。
そうしたパッケージの製造のための方法の例は米国特許第５３３７５３９号明細書から知られている。開示された方法によれば、材料ウェブがＶ字形状又は溝形状に形作られる。この段階で、３つの異なる実施形態が開示されている。第１実施形態では、クロスシールが形成されて、すなわち、ポケットを形成するためにウェブの両側が結合されて、その後に、前記ポケットにはパッケージ内に配置される材料又は商品が充填される。第２実施形態では、ウェブのＶ字又は溝の底部に材料又は商品が配置されて、その後、ウェブの自由側縁が接合／シールされて筒を形成する。筒を形成するシールから延びる自由端の折り畳みが実行される。最終的に、隣接するパッケージから各パッケージの範囲を定めるクロスシールが形成される。第３実施形態では、筒はＶＦＦ充填筒の周囲に形作られ、その結果、充填筒に対して筒が上向きに開放されるもののクロスシールによって下向きへの開放が制限されるような速度で、ウェブの側縁を結合するシールを形成する筒がクロスシールとともに形成される。この文献は、パッケージの開封を楽にするための手段を何ら提供していない。
【手続補正２】
【補正対象書類名】明細書
【補正対象項目名】０００６
【補正方法】変更
【補正の内容】
【０００６】
これを避けるために種々の解決策が提案されてきた。１つのそうした解決策は、すべての材料層を貫通する小さな切れ目を提供することであり、前記切れ目は、引き裂きの起点が作り出されてそれによって例えばパッケージの角が比較的に簡単に引きちぎられ得るように、縦方向の端部シール内にあって端部内で数ｍｍに限られるように設けられる。特開平１０−２５０７６４号公報、特開２００３−１９１９６５号公報、国際公開第９２／１６４３１号パンフレット及び特開２００４−１８２２６７号公報で様々な例を参照されたい。これらの例のいくつかでは、引き裂き動作は、開封することが意図された箇所に沿って箔層を通じて部分的に走る切れ目の形状の引き裂き線をさらに設けることによって助けられるか、又は、テープが引っ張られる際にテープが箔を引き裂くことになるようにテープを設けることによって助けられる。例えば特開平１０−２５０７６４号公報を参照されたい。このことが今度は、たいていの場合に比較的に限られた開封口を作り出し、ある場合には、角が引きちぎられる方法及びパッケージが製造される材料に依存して、すでに上述されたのと同様にパッケージを破壊し得る状況を作り出す。例えば米国特許第５８２６９８５号明細書を参照されたい。
【手続補正３】
【補正対象書類名】特許請求の範囲
【補正対象項目名】全文
【補正方法】変更
【補正の内容】
【特許請求の範囲】
【請求項１】
単層の又は多層の材料シートから形成されるタイプのパッケージを製造する方法であって、前記パッケージは開封しやすい特徴を有しており、前記材料シートは、包装されるべき物体に接触することに適した内面と、外面と、を有する完成品のパッケージとして形作られ、該方法は、
前記シートの２つの側縁を縦方向に結合することによって、前記材料シートを筒に形成する工程を備え、
結合部が前記筒の外側にサイドフラップを作り出すか又は突き出しフィンを有するフォーマー上を前記筒が通り過ぎて、その結果、前記筒の外側にサイドフラップが形成され、又は、前記筒の外側に縦方向にフィンが取り付けられ、
交差シールが前記筒を横切って設けられて、その結果、２つの交差シールの間に各パッケージの範囲が定められ、２つの隣接する前記パッケージを引き離す／切り離すために、前記交差シールに切り取り線が形成され、
前記サイドフラップ又は前記フィンに隣接して、前記切り取り線から、前記サイドフラップ又は前記フィンに平行に若しくは前記サイドフラップ又は前記フィンに対して６０°までの角度をなして延びて、前記交差シールに向かって又は前記交差シール内に延びる、１つのみの材料シートの層のミシン目又は前記シートを形成する１つのみ又は１つ以上の層のミシン目が形成される、単層の又は多層の材料シートから形成されるタイプのパッケージを製造する方法。
【請求項２】
前記１つのシート材料の層の前記ミシン目は、
前記交差シールと２つの隣接する前記パッケージを切り離す前記切り取り線との間に突き出る前記１つのシート材料の非シール部分内、又は、
前記非シール部分内及び前記交差シールの一部内、又は、
２つの隣接する前記パッケージの間の前記切り取り線に前記交差シールがすぐに隣接する場合、前記交差シール内にのみ、のいずれかに形成される請求項１に記載の方法。
【請求項３】
前記１つのシート材料の層の前記ミシン目は、以下の、
製造速度に関連して制御されるカッター又は回転するカッターヘッドであって、前記カッターヘッドは、間隔を空けて配置されてランドと協働する複数の刃先を有しており、カッター及びランドの間を材料が通過するように前記ランドが配置されて、それによって、前記カッターの作動が材料にミシン目を形成し、前記材料は切断時に前記ランドに接触する、カッター又は回転するカッターヘッドと、
レーザ装置であって、前記ミシン目の位置決めが、所望の前記パッケージのサイズに応じて前記シート材料に設けられるマーカーに対して配置されて、前記マーカーを検出して、この情報をミシン目入れ工具を作動させるための入力として用いるための手段が設けられるレーザ装置と、の１つ以上から選択されるミシン目入れ工具によって形成される請求項１に記載の方法。
【請求項４】
前記シートを重ね合わせて、重ね合わせられた前記シートの縁同士を結合することによって、２つの分離した材料シートが筒に形成されて、その結果、縦方向の縁に沿ってサイドシールを有する筒が形成される請求項１に記載の方法。
【請求項５】
前記１つのシート材料の層のほぼ平行な複数のミシン目又は前記シート材料を形成する１つ以上の材料層のほぼ平行な複数のミシン目が、前記切り取り線に隣接して前記サイドフラップに平行な又は前記サイドフラップに対して６０°までの角度をなして形成される請求項１又は２に記載の方法。
【請求項６】
前記交差シールは、各前記パッケージの一端にのみ設けられており、その結果、複数の前記パッケージが、前記切り取り線に沿って別個の前記パッケージに切り離された時に各前記パッケージは前記一端で開いている請求項１又は２に記載の方法。
【請求項７】
前記フラップが、シート材料と別個の部分であって前記筒の外側に取り付けられる部分であり、前記フラップは、前記フラップと前記筒との間の結合部が、前記ミシン目で引き裂き始める時に必要とされる引き裂き強さよりも強い手段によって留め付けられる請求項１〜６のいずれか１項に記載の方法。
【請求項８】
パッケージを形成する垂直型又は水平型の成形充填シール装置であって、該装置は、当該装置を通じて連続シート材料を運ぶ手段を備えており、該装置は、前記パッケージに少なくとも１つのサイドフラップを作り出す手段を備えており、及び、該装置は、前記サイドフラップに対してほぼ横方向に延びるシールされた交差地帯を形成する手段と、切り離し線を形成する手段と、を備えており、前記切り離し線は前記交差地帯内に形成されて、シールされた前記交差地帯は、シート材料の少なくとも２層の厚さを有しており、前記装置はミシン目入れ工具を備えており、前記ミシン目入れ工具は少なくとも２つのシート材料の層の一方に、前記サイドフラップに隣接してほぼ平行なミシン目又は前記サイドフラップに対して６０°までの角度をなすミシン目を形成し、前記ミシン目は、前記シールされた交差地帯内に延びて、前記ミシン目は前記切り離し線まで少なくとも延びる、パッケージを形成する垂直型又は水平型の成形充填シール装置。
【請求項９】
前記切り離し線を検出及び／又は決定する手段が設けられており、前記手段は前記ミシン目入れ工具に入力を供給し、その結果、前記ミシン目入れ工具の作動が、前記切り離し線の位置に応じて実行される請求項８に記載の成形充填シール装置。
【請求項１０】
前記ミシン目入れ工具は、前記切り取り線の両側に、ある距離で１つのシート材料の層にミシン目を形成するように作動される請求項８に記載の成形充填シール装置。
【請求項１１】
前記シールの幅は、３ｍｍ〜５０ｍｍであり、より好適には５ｍｍ〜２０ｍｍであり、及び、最も好適には７ｍｍ〜１２ｍｍである請求項８に記載の成形充填シール装置。
【請求項１２】
当該装置は、前記シート材料を筒に形成する筒形成手段を備えており、及び、前記筒形成手段の表面から半径方向に延びるフィンが、２つの加熱可能なローラの上流側で前記ローラに隣接して設けられており、その結果、前記筒がフィンを通過する際に縦方向のフラップが前記筒に形成され、及び、前記ローラが互いに前記フラップを挟み込んで任意選択的に前記筒の材料をともに溶着する請求項８に記載の成形充填シール装置。
【請求項１３】
前記ミシン目入れ工具は、切断ブレード、レーザカッター、パンチャー、又は、熱カッター、又は、それらの手段の任意の組み合わせであり、及び、任意選択的に、前記ミシン目入れ工具に対向して裏板が前記ミシン目入れ工具のためのランドとして配置され、前記裏板及び前記ミシン目入れ工具の配置は、前記ミシン目入れ工具及び前記裏板の間を包装材料が通過することを許容する請求項８に記載の成形充填シール装置。
【請求項１４】
請求項８〜１３のいずれか１項に記載の水平型又は垂直型の成形充填シール装置で製造されるタイプのパッケージであって、前記パッケージは、シート材料から形成されており、当該パッケージの長さに沿ってサイドフラップを有しており、及び、当該パッケージの両端で前記サイドフラップに対して横方向に配置される交差シールを備えており、前記シールは、２つのシート材料の層を少なくとも含んでおり、１つの交差シール部分で前記サイドフラップにほぼ平行な少なくとも１つのミシン目又は前記サイドフラップに対して６０°までの角度をなす少なくとも１つのミシン目が設けられており、前記ミシン目は１つの材料の層に入れられており、及び、前記ミシン目は前記サイドフラップに隣接して設けられており、及び、前記ミシン目は前記パッケージの自由縁まで延びるパッケージ。
【請求項１５】
相互に間隔をあけて配置されて、任意選択的に前記フラップの両側に、ほぼ平行な複数のミシン目が設けられる請求項１４に記載のパッケージ。
【国際調査報告】
2011512301.tif 000015
2011512301.tif 000016
2011512301.tif 000017
2011512301.tif 000018